(57)【要約】【課題】フレキシブル配線板の圧着作業前にフレキシブル配線板を所定の圧着位置に容易に合わせることができるフレキシブル配線板用保持装置を提供すること。【解決手段】本発明のフレキシブル配線板用保持装置１は、フレキシブル配線板２０を吸着するフレキシブル配線板用受け台２と、フレキシブル配線板用受け台２を支持しながら、フレキシブル配線板用受け台２をＸ方向（幅方向）、Ｙ方向（長さ方向）、Ｚ方向（厚さ方向）のそれぞれに直動させるスライド機構とフレキシブル配線板用受け台２をθｘ方向（Ｘ軸を中心軸とする回転方向）およびθｚ方向（Ｚ軸を中心軸とする回転方向）のそれぞれに回動させる回動機構とを有して形成されている支持部材３とを備えている。これによって、フレキシブル配線板２０の接続部２０ａが水平になるよう位置合わせをすることができる。【選択図】図１
2007123602.tif 000002
【特許請求の範囲】
【請求項１】
複数の電極が並列された接続部を有するフレキシブル配線板の前記接続部以外の部分を吸着しながら支持するフレキシブル配線板用受け台と、
前記フレキシブル配線板用受け台を支持すると共に、水平に保たれた状態における前記フレキシブル配線板用受け台の幅方向、長さ方向および厚さ方向をそれぞれＸ方向、Ｙ方向、Ｚ方向として前記フレキシブル配線板用受け台を前記Ｘ方向、Ｙ方向、Ｚ方向のそれぞれに直動させるスライド機構と少なくとも前記Ｘ方向を回転軸として前記フレキシブル配線板用受け台を回転方向に回動させる回動機構とを有して形成されている支持部材と
を備えていることを特徴とするフレキシブル配線板用保持装置。
【請求項２】
請求項１に記載のフレキシブル配線板用保持装置と、
複数の透明電極が並列された被接続部を有する透明配線板の前記被接続部以外の部分を支持する透明配線板用受け台と、
前記フレキシブル配線板用受け台と前記透明配線板用受け台との間に介在して前記被接続部の前記電極が形成されていない面を支持する透明支持部材と、
前記透明支持部材の対面から前記接続部の電極が形成されていない面に圧力および熱を印加することにより、対向する前記接続部の電極形成面と前記被接続部の電極形成面との間に介在した異方性導電接着材を用いて前記接続部および前記被接続部を熱圧着させる熱圧着部材と、
前記透明支持部材を通して前記フレキシブル配線板の圧着位置を撮影する圧着補助撮影装置と
を備えていることを特徴とするフレキシブル配線板用圧着装置。
【発明の詳細な説明】
【技術分野】
【０００１】
本発明は、フレキシブル配線板用保持装置およびフレキシブル配線板用圧着装置に係り、特に、弓なりに反り返り易いフレキシブル配線板の接続部を透明ガラス基板に形成された透明電極に熱圧着する際に好適に利用することができるフレキシブル配線板用保持装置およびフレキシブル配線板用圧着装置に関する。
【背景技術】
【０００２】
一般的に、液晶表示装置の表示部となる液晶表示パネルにはガラス製の透明配線板が用いられており、その透明配線板には可撓性のフレキシブル配線板が異方性導電フィルム（ＡＣＦ）などの異方性導電接着材を介してフレキシブル配線板用圧着装置により熱圧着されている。
【０００３】
従来のフレキシブル配線板用圧着装置１１０は、図５および図６に示すように、フレキシブル配線板１２０を支持するフレキシブル配線板用受け台１０２と、透明配線板１３０を支持する透明配線板用受け台１１１と、フレキシブル配線板用受け台１０２と透明配線板用受け台１１１との間に介在して透明配線板１３０の被接続部１３０ａの裏面を支持する透明支持部材１１２と、フレキシブル配線板１２０の接続部１２０ａと透明配線板１３０の被接続部１３０ａとの間に介在した異方性導電接着材（図示せず）を用いて透明支持部材１１２の対面からフレキシブル配線板１２０の接続部１２０ａと透明配線板１３０の被接続部１３０ａとを熱圧着させる圧着部材１１３とを備えていた。これにより、フレキシブル配線板用受け台１０２をその幅方向（Ｘ方向）、長さ方向（Ｙ方向）および厚さ方向（Ｚ方向）に移動させ、フレキシブル配線板１２０を所定の位置に重ね合わせてからフレキシブル配線板１２０の接続部１２０ａと透明配線板１３０の被接続部１３０ａとを熱圧着させていた。
【０００４】
また、各電極間のファインピッチ化に伴いフレキシブル配線板１２０の位置合わせが困難になったため、従来のフレキシブル配線板用圧着装置１１０は、図６に示すように、透明支持部材１１２および透明配線板１３０を通してフレキシブル配線板１２０の圧着位置を撮影するＣＣＤカメラなどの圧着補助撮影装置１１４を備えていた。これにより、フレキシブル配線板１２０の接続部１２０ａの端部や当該接続部１２０ａに形成された位置合わせマーク（図示せず）などを位置合わせの基準として、圧着補助撮影装置１１４により視認しながらフレキシブル配線板用受け台１０２をＸ方向、Ｙ方向およびＺ方向に移動させて、フレキシブル配線板１２０の精密な位置あわせを行なっていた（例えば、特許文献１参照）。
【０００５】
【特許文献１】特開２００４−４３７３号公報
【発明の開示】
【発明が解決しようとする課題】
【０００６】
しかしながら、フレキシブル配線板用受け台１０２は、図６に示すように、フレキシブル配線板１２０が厚さ方向（Ｚ方向）に対して形状変化を生じていない平滑な状態であることを前提として位置調整されている。そのため、図７に示すように、フレキシブル配線板１２０の接続部１２０ａがＺ方向に対して緩やかな弓なりに変形して反り返っている場合、圧着補助撮影装置１１４の焦点がＺ方向に対して合わなくなり、圧着補助撮影装置１１４による接続位置の確認が困難となるので、フレキシブル配線板１２０を透明配線板１３０に精度良く接続させることができないという問題があった。
【０００７】
また、フレキシブル配線板１２０が弓なりに反り返っている場合、従来は作業者の手を使って、反り返ったフレキシブル配線板１２０の接続部１２０ａを平滑にさせながら透明配線板１３０の被接続部１３０ａに接続させなければならず、フレキシブル配線板１２０の接続部１２０ａを透明配線板１３０の被接続部１３０ａに接続させるために無駄な人的労力が生じていた。
【０００８】
そこで、本発明はこれらの点に鑑みてなされたものであり、フレキシブル配線板の圧着作業前にフレキシブル配線板を所定の圧着位置に容易にかつ精度良く合わせることができるフレキシブル配線板用保持装置を提供することを本発明の目的としている。
【０００９】
また、本発明は、前述した本発明のフレキシブル配線板用保持装置を用いて、フレキシブル配線板の接続部を透明配線板の被接続部に正確に接続して圧着させることができるフレキシブル配線板用圧着装置を提供することを他の目的としている。
【課題を解決するための手段】
【００１０】
前述した目的を達成するため、本発明のフレキシブル配線板用保持装置は、複数の電極が並列された接続部を有するフレキシブル配線板の接続部以外の部分を吸着しながら支持するフレキシブル配線板用受け台と、フレキシブル配線板用受け台を支持すると共に、水平に保たれた状態におけるフレキシブル配線板用受け台の幅方向、長さ方向および厚さ方向をそれぞれＸ方向、Ｙ方向、Ｚ方向としてフレキシブル配線板用受け台をＸ方向、Ｙ方向、Ｚ方向のそれぞれに直動させるスライド機構と、少なくともＸ方向を回転軸としてフレキシブル配線板用受け台を回転方向に回動させる回動機構とを有して形成されている支持部材とを備えていることを特徴としている。
【００１１】
本発明のフレキシブル配線板用保持装置によって、弓なりに反り返ったフレキシブル配線板の接続部の向きを調整して水平に保つことができるので、フレキシブル配線板を所定の位置に精度良く保持することができる。
【００１２】
また、前述した目的を達成するため、本発明のフレキシブル配線板用圧着装置は、前述した本発明のフレキシブル配線板用保持装置と、複数の透明電極が並列された被接続部を有する透明配線板の被接続部以外の部分を支持する透明配線板用受け台と、フレキシブル配線板用受け台と透明配線板用受け台との間に介在して被接続部の電極が形成されていない面を支持する透明支持部材と、透明支持部材の対面から接続部の電極が形成されていない面に圧力および熱を印加することにより、対向する接続部の電極形成面と被接続部の電極形成面との間に介在した異方性導電接着材を用いて接続部および被接続部を熱圧着させる熱圧着部材と、透明支持部材を通してフレキシブル配線板の圧着位置を撮影する圧着補助撮影装置とを備えていることを特徴としている。
【００１３】
本発明のフレキシブル配線板用圧着装置によって、弓なりに反り返ったフレキシブル配線板の接続部の向きを調整して所定の位置に精度良く保持しながら、当該フレキシブル配線板を透明配線板に圧着させることができる。
【発明の効果】
【００１４】
本発明のフレキシブル配線板用保持装置およびフレキシブル配線板用圧着装置によって、フレキシブル配線板の接続部を所定の向きや接続位置に調整し、圧着作業前にフレキシブル配線板の接続部と透明配線板の被接続部とを正確に接続させることができるので、フレキシブル配線板が所定の接続位置からずれて短絡することを防止し、フレキシブル配線板が用いられる液晶表示装置などの装置の歩留まりを向上させるという効果を奏する。
【００１５】
また、本発明のフレキシブル配線板用保持装置およびフレキシブル配線板用圧着装置によって、フレキシブル配線板を所定の圧着位置に合わせることが容易となるため、フレキシブル配線板の圧着に係る作業効率が向上するという効果を奏する。
【発明を実施するための最良の形態】
【００１６】
以下、図１から図３を用いて、本発明のフレキシブル配線板用保持装置１およびフレキシブル配線板用圧着装置１０の一実施形態を説明する。ここで、図１は、フレキシブル配線板用圧着装置１０の平面図を示している。図２は、フレキシブル配線板用圧着装置１０の正面図を示している。図３は、図１のＡ−Ａ方向側面図を示している。
【００１７】
図１から図３に示すように、本実施形態のフレキシブル配線板用保持装置１は、複数の電極（図示せず）が幅方向（図１においてはＸ方向と平行）に並列された接続部２０ａを有するフレキシブル配線板２０における接続部２０ａ以外の部分２０ｂを吸着しながらフレキシブル配線板２０を支持するフレキシブル配線板用受け台２と、フレキシブル配線板用受け台２を支持すると共に、水平に保たれた状態におけるフレキシブル配線板用受け台２の幅方向、長さ方向および厚さ方向をそれぞれＸ方向、Ｙ方向、Ｚ方向（図１から図３参照）としてフレキシブル配線板用受け台２をＸ方向、Ｙ方向、Ｚ方向のそれぞれに直動させるスライド機構とＸ方向およびＺ方向をそれぞれの回転軸としてフレキシブル配線板用受け台２をそれぞれの回転方向（以下、Ｘ軸を回転軸とする回転方向を「θｘ方向」といい、Ｚ軸を回転軸とする回転方向を「θｚ方向」という。図１および図２を参照。）に回動させる回動機構とを有して形成されている支持部材３とを備えている。
【００１８】
具体的には、フレキシブル配線板用受け台２は、図１に示すように矩形平板状に形成されており、フレキシブル配線板２０が載置される部分２ａに形成された吸気孔２ｂおよびその吸気路２ｃを有している。吸気路２ｃの先には吸気ホース２ｄを介して負圧装置（図示せず）が接続されている。
【００１９】
また、支持部材３は、図２に示すように、矩形平板状の基盤４上に配設された２軸直動ステージ５と、当該２軸直動ステージ５上に配設されたＬ字型支持部６と、当該Ｌ字型支持部６の垂直面であるＺ軸ゴニオステージ取付面６ｂに取り付けられており図１に示すようにθｚ方向に回動するＺ軸ゴニオステージ７と、図２に示すようにＺ軸ゴニオステージ７上に取り付けられており図２および図３に示すようにＺ方向にスライド移動するＺ軸直動ステージ８と、図３に示すようにＺ軸直動ステージ８に取り付けられており図２に示すようにフレキシブル配線板用受け台２のθｘ方向の回転角を調整しながらフレキシブル配線板用受け台２を支持する腕部９とを備えている。
【００２０】
２軸直動ステージ５は、図２および図３に示すように、Ｘ方向およびＹ方向にそれぞれ形成されたあり溝状のスライドレール５ａ、５ｃと、図１に示すように、Ｘ方向スライドレール５ａおよびＹ方向スライドレール５ｃの各スライド量を精密に調整するＸ方向調整ハンドル５ｂおよびＹ方向調整ハンドル５ｄとを有している。なお、Ｘ方向調整ハンドル５ｂおよびＹ方向調整ハンドル５ｄの代わりに、電気的に各スライド量を精密制御する油圧式ダンパなどの２軸直動制御用アクチュエータ（図示せず）を用いても良い。また、図２および図３に示すように、Ｘ方向スライドレール５ａおよびＹ方向スライドレール５ｃの上方には矩形状のステージ面５ｅを有するステージ部５ｆが形成されている。
【００２１】
Ｌ字型支持部６は、図２に示すように、２軸直動ステージ固定面６ａと、２軸直動ステージ固定面６ａに直交するＺ軸ゴニオステージ取付面６ｂとを有するＬ字プレート状に形成されており、２軸直動ステージ固定面６ａはＺ軸ゴニオステージ取付面６ｂの法線がＹ軸と平行になるように２軸直動ステージ５のステージ部５ｅに固定されている。
【００２２】
Ｚ軸ゴニオステージ７は、図１および図２に示すようなダブテール形弧状レール７ａを有するゴニオステージ基台７ｂと、そのゴニオステージ基台７ｂにあり溝をもって取り付けられておりθｚ方向に回動するゴニオステージ部７ｃとを有している。このゴニオステージ基台７ｂはＬ字型支持部６のＺ軸ゴニオステージ取付面６ｂに固定されているとともに、図１および図２に示すようにゴニオステージ部７ｃのθｚ方向の回転角を精密に調整するＺ軸回転調整ハンドル７ｄを有している。なお、Ｚ軸回転調整ハンドル７ｄの代わりに電気的にθｚ方向の回転角を精密制御する油圧式ダンパなどの回転角制御用アクチュエータ（図示せず）を用いても良い。また、ゴニオステージ部７ｃは、矩形状のステージ面７ｅを有して形成されている。
【００２３】
Ｚ軸直動ステージ８は、図２および図３に示すようなゴニオステージ部７ｃに取り付けられた基台８ａと当該基台８ａ上に取り付けられたスライド部８ｂとを有している。Ｚ軸直動ステージ８の基台８ａは、図３に示すようにＸ方向を長手方向として直方体状に形成されている。また、スライド部８ｂは、Ｚ方向にスライド移動するための長穴８ｃと、Ｘ方向にねじ山を有して貫通したネジ穴８ｄを有しており、当該長穴８ｃを介して基台８ａにネジ止めされている。
【００２４】
腕部９は、図３に示すようにＸ方向にねじ山を有さずに貫通した取付穴９ａを有する直方体状の突出部９ｂと、図２および図３に示すようにネジ９ｃを用いて上端面に固定されたフレキシブル配線板用受け台２を支持する直方体状の支持部９ｄとを結合して、図３に示すような正面横Ｌ字状となるように形成されている。この腕部９は、取付穴９ａの全長よりも長いＸ軸回転調整ボルト９ｅを当該取付穴９ａに通してＺ軸直動ステージ８のスライド部８ｂのネジ穴８ｄに螺合することにより、フレキシブル配線板用受け台２がθｘ方向に調節自在となるように固定されている。
【００２５】
また、本実施形態のフレキシブル配線板用圧着装置１０は、図１および図２に示すように、前述した本実施形態のフレキシブル配線板用保持装置１と、複数の透明電極（図示せず）が幅方向（図１においてはＸ方向と平行）に並列された被接続部３０ａを有する透明配線板３０の被接続部３０ａ以外の部分３０ｂを支持する透明配線板用受け台１１と、フレキシブル配線板用受け台２と透明配線板用受け台１１との間に介在して被接続部３０ａの電極が形成されていない面（裏面）を支持する透明支持部材１２と、透明支持部材１２の対面から接続部２０ａの電極が形成されていない面（裏面）に圧力および熱を印加することにより対向する接続部２０ａの電極形成面と被接続部３０ａの電極形成面との間に介在した異方性導電接着材（図示せず）を用いて接続部２０ａおよび被接続部３０ａを熱圧着させる熱圧着部材１３と、透明支持部材１２および透明配線板３０を通してフレキシブル配線板２０の圧着位置を撮影する圧着補助撮影装置１４とを備えている。
【００２６】
具体的には、透明配線板用受け台１１は、ガラス基板にＩＴＯ（インジウム錫酸化物）透明電極が形成された液晶表示パネル３１などに用いられる透明配線板３０を水平に支持する載置面１１ａを有して直方体状に形成されている。なお、透明配線板用受け台１１は、作業効率の向上の観点から、フレキシブル配線板用受け台２と同様に、載置面１１ａの透明配線板３０が載置される部分１１ｂに吸気孔（図示せず）およびその吸気路（図示せず）を有し、その吸気路の先に負圧装置（図示せず）を有していることが好ましい。
【００２７】
透明支持部材１２は、無色透明ガラスを用いて長手方向をＸ方向とする直方体状に形成されている。この透明支持部材１２は、透明配線板３０の被接続部３０ａにおける電極が形成されていない面（電極形成面の裏面）を支持する支持面１２ａが透明配線板用受け台１１の載置面１１ａと同一平面上となるように配設されている。
【００２８】
熱圧着部材１３は、長手方向をＸ方向とする直方体状に形成されており、図２に示すように透明配線板３０の被接続部３０ａを介して透明支持部材１２と対向する位置に配設されている。また、熱圧着部材１３は、Ｚ方向に対してスライド移動自在に形成されているとともに、透明支持部材１２と対向する面１３ａ全体に複数の発熱素子（図示せず）を有している。
【００２９】
圧着補助撮影装置１４は、ＣＣＤ（電荷結合素子）などの光を電気信号に変換する素子を用いて形成されており、主としてＣＣＤカメラが用いられている。また、この圧着補助撮影装置１４は、透明支持部材１２を通して透明配線板３０の被接続部３０ａと当該被接続部３０ａに積層される異方性導電接着材とフレキシブル配線板２０とを撮影するために透明支持部材１２の下方に配設されており、透明配線板３０、異方性導電接着材およびフレキシブル配線板２０の撮影された画像が液晶モニタなどの画像表示装置（図示せず）に映し出されるようになっている。
【００３０】
次に、図１および図２を用いて、本発明のフレキシブル配線板用保持装置１およびフレキシブル配線板用圧着装置１０の作用を説明する。
【００３１】
本実施形態のフレキシブル配線板用保持装置１は、フレキシブル配線板用受け台２がフレキシブル配線板２０の接続部２０ａ以外の部分２０ｂを吸着しながら支持するので、フレキシブル配線板用受け台２が水平面から傾いたとしてもフレキシブル配線板２０を常に支持することができる。
【００３２】
また、本実施形態のフレキシブル配線板用保持装置１は、支持部材３がフレキシブル配線板用受け台２をＸ方向、Ｙ方向、Ｚ方向のそれぞれに直動させる機構とθｘ方向およびθｚ方向のそれぞれに回動させる機構と有してフレキシブル配線板用受け台２を支持しているので、フレキシブル配線板用受け台２の位置や向きを自在に変更することができる。ここで、フレキシブル配線板２０の接続部２０ａは、透明配線板３０の被接続部３０ａに接続するためにフレキシブル配線板２０の配線を覆う表面のカバー層（図示せず）を有しておらず、当該カバー層を有するフレキシブル配線板２０の本体部（フレキシブル配線板２０の接続部２０ａ以外の部分２０ｂ）よりも薄くなっている。そのため、フレキシブル配線板２０の接続部２０ａはＺ方向に対して弓なりの変形を受けやすく、水平に保持されたフレキシブル配線板用受け台２にフレキシブル配線板２０を載置してもフレキシブル配線板２０の接続部２０ａを水平に保持することができないことが多いが、本実施形態のフレキシブル配線板用保持装置１を用いることにより、フレキシブル配線板用受け台２に吸着支持されたフレキシブル配線板２０の向きをフレキシブル配線板用受け台２と共に自在に変更してフレキシブル配線板２０の接続部２０ａを所定の接続位置に水平に保持することができる。
【００３３】
また、本実施形態のフレキシブル配線板用圧着装置１０は、本実施形態のフレキシブル配線板用保持装置１、前述した透明配線板用受け台１１、透明支持部材１２、熱圧着部材１３および圧着補助撮影装置１４を備えている。そのため、透明配線板用受け台１１および透明支持部材１２によって透明配線板３０を水平に保ちつつ、フレキシブル配線板用保持装置１によってフレキシブル配線板用受け台２のＺ方向およびθｘ方向を調整することにより、フレキシブル配線板２０の接続部２０ａを所定の位置に水平に保つことができる。これによって、圧着補助撮影装置１４の焦点がＺ方向に対して合わせやすくなるので、透明支持部材１２を通して圧着補助撮影装置１４によってフレキシブル配線板２０の接続位置を確認しながら、フレキシブル配線板２０の接続部２０ａを透明配線板３０の被接続部３０ａに確実に密着させて重ね合わせることができる。また、フレキシブル配線板用保持装置１によってフレキシブル配線板用受け台２のＸ方向、Ｙ方向およびθｚ方向を調整することにより、フレキシブル配線板２０の接続部２０ａの電極を透明配線板３０の被接続部３０ａの電極に正確に接続するように位置合わせさせてから熱圧着部材１３により異方性導電接着材を介してフレキシブル配線板２０の接続部２０ａを透明配線板３０の被接続部３０ａに熱圧着することができる。
【００３４】
つまり、弓なりに変形したフレキシブル配線板２０の接続部２０ａの向きをＺ方向およびθｘ方向にそれぞれ調節し、圧着補助撮影装置１４の焦点を合わせてフレキシブル配線板２０を視認しながら、フレキシブル配線板２０のＸ方向、Ｙ方向およびθｚ方向を調整して接続部２０ａおよび被接続部３０ａの電極同士を正確に位置合わせさせた後に熱圧着することにより、ファインピッチ化されたフレキシブル配線板２０および透明配線板３０の各電極を短絡させることなく確実に接続することができる。
【００３５】
さらに、本実施形態のフレキシブル配線板用圧着装置１０によって、作業者の手を使ってフレキシブル配線板２０の変形を修正する必要が無くなるので、無駄な人的労力を削減することができる。
【００３６】
すなわち、本実施形態のフレキシブル配線板用保持装置１およびフレキシブル配線板用圧着装置１０によって、圧着作業前にフレキシブル配線板２０の接続部２０ａと透明配線板３０の被接続部３０ａとを密着させて接続することができるので、フレキシブル配線板２０の圧着位置が所定の位置からずれることを防止し、フレキシブル配線板２０が用いられる装置の歩留まりを向上させるという効果を奏する。
【００３７】
また、本実施形態のフレキシブル配線板用保持装置１およびフレキシブル配線板用圧着装置１０によって、フレキシブル配線板２０を所定の圧着位置に合わせることが容易となるため、フレキシブル配線板２０の圧着に係る作業効率が向上するという効果を奏する。
【００３８】
なお、本発明は、前述した実施形態などに限定されるものではなく、必要に応じて種々の変更が可能である。
【００３９】
たとえば、本実施形態のフレキシブル配線板用保持装置１およびフレキシブル配線板用圧着装置１０においては、θｙ方向（Ｙ方向を回転軸とする回転方向）に回動する機構を有して形成されていないが、フレキシブル配線板２０の幅方向（Ｘ方向と平行になる方向）に対して弓なりの変形が生じ、圧着補助撮影装置１４の焦点がずれるなどの不具合を生じる場合、他の実施形態として、本実施形態の直動機構および回動機構に対してθｙ方向に回動する機構を付加して形成されていても良い。
【００４０】
また、本実施形態の腕部９はＸ軸回転調整ボルト９ｅを用いてＺ軸直動ステージ８にボルト止めされているが、他の実施形態のフレキシブル配線板用保持装置１’およびフレキシブル配線板用圧着装置１０’としては、図４に示すように本実施形態の「Ｘ方向にねじ山を有して貫通したネジ穴８ｄ」から変更された「取付穴９ａと同径であってＸ方向にねじ山を有さずに貫通した取付穴８ｄ’」と、取付穴８ｄ’および取付穴９ａとほぼ同径であってその軸方向の長さがスライド部８ｂおよび突出部９ｂのＸ方向の長さを足して得た長さとほぼ同等の長さを有しつつさらにその中心軸の両端に貫通しないねじ山９ｆ１、９ｆ２を有して形成されており取付穴８ｄ’および取付穴９ａに挿嵌されたＸ軸回転支持軸９ｆと、Ｚ軸直動ステージ８のスライド部８ｂに対してＸ軸回転支持軸９ｆのθｘ方向への回動を押止する押しネジ８ｅと、Ｘ軸回転支持軸９ｆのねじ山９ｆ１、９ｆ２に螺嵌されたＸ方向締付ボルト９ｇ１、９ｇ２とを備えていても良い。
【００４１】
前述の他の実施形態のフレキシブル配線板用保持装置１’およびフレキシブル配線板用圧着装置１０’は、図４に示すように、突出部９ｂ側に螺嵌されたＸ方向締付ボルト９ｇ１を締め付けたり緩めたりすることにより、フレキシブル配線板用受け台２をθｘ方向に調節することができるので、本実施形態と同様の作用を発揮しつつ、さらに取付穴８ｄ’、取付穴９ａおよびＸ軸回転支持軸９ｆがほぼ同径であることから、θｘ方向調節時に本実施形態よりもがたつくことを防止するという作用を発揮することができる。
【図面の簡単な説明】
【００４２】
【図１】本発明のフレキシブル配線板用熱圧着装置の一実施形態を示す平面図
【図２】本実施形態のフレキシブル配線板用熱圧着装置を示す正面図
【図３】図１のＡ−Ａ矢視側面図
【図４】他の実施形態における図１のＡ−Ａ矢視部分側面図
【図５】従来のフレキシブル配線板用熱圧着装置の一例を示す平面図
【図６】従来のフレキシブル配線板用熱圧着装置の一例を示す正面図
【図７】従来のフレキシブル配線板用熱圧着装置に弓なりに反り返ったフレキシブル配線板を載置した状態を示す正面図
【符号の説明】
【００４３】
１  フレキシブル配線板用保持装置
２  フレキシブル配線板用受け台
２ｂ  吸気孔
２ｃ  吸気路
２ｄ  吸気ホース
３  支持部材
４  基盤
５  ２軸直動ステージ
５ａ  Ｘ方向スライドレール
５ｂ  Ｘ方向調整ハンドル  
５ｃ  Ｙ方向スライドレール
５ｄ  Ｙ方向調整ハンドル
６  Ｌ字型支持部
７  Ｚ軸ゴニオステージ
７ａ  弧状レール
７ｂ  ゴニオステージ基台
７ｃ  ゴニオステージ部
７ｄ  Ｚ軸回転調整ハンドル
８  Ｚ軸直動ステージ
８ａ  基台
８ｂ  スライド部
８ｃ  長穴
８ｄ  ねじ穴
９  腕部
９ａ  取付穴
９ｂ  突出部
９ｃ  ネジ
９ｄ  支持部
９ｅ  Ｘ軸回転調整ボルト
１０  フレキシブル配線板用圧着装置
１１  透明配線板用受け台
１１ａ  載置面
１２  透明支持部材
１２ａ  支持面
１３  熱圧着部材
１４  圧着補助撮影装置
２０  フレキシブル配線板
２０ａ  接続部
２０ｂ  接続部以外の部分
３０  透明配線板
３０ａ  被接続部
３０ｂ  被接続部以外の部分
【図１】
2007123602.tif 000003
【図２】
2007123602.tif 000004
【図３】
2007123602.tif 000005
【図４】
2007123602.tif 000006
【図５】
2007123602.tif 000007
【図６】
2007123602.tif 000008
【図７】
2007123602.tif 000009